(57)【要約】【課題】  天板下に備えた配線ダクトに連通するように該天板に開口部を設け、該開口部に開閉可能にダクト蓋体を設けた配線機能付きテーブルにおいて、天板上に載置したノートパソコン等の電気機器に、天板下に備えた配線ダクトを通してリング状開口部から引き出したコード類を接続して使用する際に、コード類を安定に保持することができ、電気機器から外したコード類を配線ダクト内に収容する際にコード類の落下を防止でき、外観性にも優れた配線機能付きテーブルを提供する。【解決手段】  開口部の周囲にリング状開口部７Ａを残してダクト蓋体６を開閉可能に設け、ダクト蓋体の下方位置にリング状開口部から引き出すコード類Ｃを包持するとともに、コード類の端部のコネクタＣ１を係止し得るコードフック６３を備えた。コードフックは、ダクト蓋体を開閉可能に支持する軸受具５３に一体的に形成した。【選択図】        図３
2014124457.tif 000002
【特許請求の範囲】
【請求項１】
天板に設けた開口部に開閉可能に蓋体を設けた配線機能付きテーブルにおいて、前記開口部の周囲の一部又は全部に挿通用開口部を残して蓋体を開閉可能に設け、前記挿通用開口部に連通し且つ前記蓋体よりも低い位置に、コード類を包持するとともに、該コード類の端部のコネクタを係止し得るコードフックを備えたことを特徴とする配線機能付きテーブル。
【請求項２】
天板下に備えた配線ダクトに連通するように該天板に開口部を設けるとともに、該開口部に開閉可能にダクト蓋体を設けた配線機能付きテーブルにおいて、前記開口部の周囲にリング状開口部を残してダクト蓋体を開閉可能に設け、前記ダクト蓋体の下方位置に、前記リング状開口部から引き出すコード類を包持するとともに、該コード類の端部のコネクタを係止し得るコードフックを備えたことを特徴とする配線機能付きテーブル。
【請求項３】
前記コードフックは、コード類を保持する上下方向に連通した保持部と、該保持部にコード類を側方から受け入れるための連通部とからなる請求項１又は２記載の配線機能付きテーブル。
【請求項４】
前記コードフックは、前記ダクト蓋体を開閉可能に支持する軸受具に一体的に形成されている請求項２又は３記載の配線機能付きテーブル。
【請求項５】
前記コードフックと閉止状態のダクト蓋体の間に、コード類のコネクタを収容し得る空間を設けてなる請求項１〜４何れか１項に記載の配線機能付きテーブル。
【請求項６】
前記コードフックは、サイズが異なるコード類に対応して複数種類を併設してなる請求項１〜５何れか１項に記載の配線機能付きテーブル。
【発明の詳細な説明】
【技術分野】
【０００１】
本発明は、配線機能付きテーブルに係わり、更に詳しくは天板上で使用する電気機器に接続するコード類を天板の上下へ配線処理することを可能とした配線機能付きテーブルに関するものである。
【背景技術】
【０００２】
従来から、複数の天板を連設し、端部に位置する天板の外側端おいて棒脚あるいは脚板で支持するとともに、天板の連結部においては中間脚で支持した構造のテーブルは各種提供されている。また、天板の下面周縁部にビーム部材を配置して天板を補強するとともに、コーナー部でビーム部材に連結した脚ブラケットに棒脚を固定する基本構造も公知である。
【０００３】
そして、天板の中央部にダクト開口部を設け、該開口部に開閉可能にダクト蓋体を設けるとともに、ダクト開口部の下方に配線ダクトを設け、天板の上下にわたってコード類を配線できるようにした配線ダクト装置を備えたテーブルも各種提供され、配線ダクト装置の形態も様々である。
【０００４】
例えば、特許文献１には、前後の天板間に所定の間隙を設けるとともに、その間隙に沿った天板下面側には樋状部材を取付けて配線空間を形成し、更に天板の左右中央部で前後の天板の対向部分に切欠部を形成して平面視略正方形のダクト開口部を形成し、該開口部に２枚の配線カバーを間に前記間隙と同様な間隙を設けて開閉可能且つ着脱可能に設けた構造の配線ダクト装置が開示されている。ここで、前記配線カバーは、その長辺を天板の長辺方向に向けて取付け、あるいは天板の短辺方向に向けて取付けることができ、両配線カバーの間に形成される空間から下方の配線ダクトにコード類を配線できるようになっている。
【０００５】
しかし、特許文献１に記載の配線ダクト装置は、両配線カバー間に配線ダクトと連続する空間が形成され、該空間を利用してコード類を引き出すことができるが、コード類を引き出す位置の固定が困難である。また、両配線カバーを取外し、ダクト開口部を開放すれば、配線空間へのアクセスが容易になるが、配線作業後に配線カバーを取付けるには、コード類を邪魔にならない位置に移動した状態で作業しなければならず、手間がかかる。更に、天板上に載置したノートパソコン等の電気機器に一時的に接続するが、常時は電気機器からコネクタを外してコード類を配線ダクト内に格納するような使用形態の場合、コネクタ部分も配線ダクト内に位置して、次に電気機器に接続する作業に手間がかかるといった問題も生じる。
【０００６】
また、特許文献２には、前後の天板間に間隙を形成し、該間隙に配線ダクト装置の下端に沿って突設した板状の支持部を前記間隙に嵌入し、前後の天板の境界部分に配線ダクト装置を設ける構造が開示されている。この特許文献２に記載の配線ダクト装置は、配線ダクトを形成する両立壁部の上縁にコード類を取り出すための凹部を所定間隔毎に設け、その上に設ける蓋体とでコード類を包持するような構造を備えている。しかし、凹部からなるコード類の取り出し部は、配線ダクトの外部に固定したテーブルタップ等の接続器に接続するコード類を配線するためのものであり、一旦配線した後には、コード類の位置を変えることはない。
【０００７】
また、特許文献３には、テーブルの天板中央部にダクト開口部を設けるとともに、その下方に配線ダクトを設け、該配線ダクトの内部空間を上下に区画する保持板にコンセントを固定するとともに、前記ダクト開口部を塞ぐ蓋体の前後縁部にコード類を挿通するための切欠部を設け、蓋体を閉じた状態でもコード類を切欠部を通してコンセントにプラグを接続できるようにした配線ダクト装置が開示されている。しかし、特許文献３には、パソコンから外したコード類を配線ダクト内に簡単に収納することができる点については言及されてない。勿論、パソコンから外したコード類は、複数の蓋体を取り除いた後、配線ダクト内に押し込み再び蓋体を閉じることで原理的に配線ダクト内に収容できるものの、コード類の弾性復元性のため、コード類を束ねるようなことをしない限り配線ダクト内に収容することは実際には不可能である。
【先行技術文献】
【特許文献】
【０００８】
【特許文献１】特許第４３４９０５３号公報
【特許文献２】特開平１１−３４６８３４号公報
【特許文献３】特許第４４４０３９３号公報
【発明の概要】
【発明が解決しようとする課題】
【０００９】
そこで、本発明が前述の状況に鑑み、解決しようとするところは、天板下に備えた配線ダクトに連通するように該天板に開口部を設けるとともに、該開口部に開閉可能にダクト蓋体を設けた配線機能付きテーブルにおいて、天板上に載置したノートパソコン等の電気機器に、天板下に備えた配線ダクトを通してリング状開口部から引き出したコード類を接続して使用する際に、コード類を安定に保持することができるとともに、電気機器から外したコード類を配線ダクト内に収容する際にコード類の落下を防止でき、しかも外観性にも優れた配線機能付きテーブルを提供する点にある。
【課題を解決するための手段】
【００１０】
。
本発明は、前述の課題解決のために、天板に設けた開口部に開閉可能に蓋体を設けた配線機能付きテーブルにおいて、前記開口部の周囲の一部又は全部に挿通用開口部を残して蓋体を開閉可能に設け、前記挿通用開口部に連通し且つ前記蓋体よりも低い位置に、コード類を包持するとともに、該コード類の端部のコネクタを係止し得るコードフックを備えたことを特徴とする配線機能付きテーブルを構成した（請求項１）。
【００１１】
。
また、本発明は、前述の課題解決のために、天板下に備えた配線ダクトに連通するように該天板に開口部を設けるとともに、該開口部に開閉可能にダクト蓋体を設けた配線機能付きテーブルにおいて、前記開口部の周囲にリング状開口部を残してダクト蓋体を開閉可能に設け、前記ダクト蓋体の下方位置に前記リング状開口部から引き出すコード類を包持するとともに、該コード類の端部のコネクタを係止し得るコードフックを備えたことを特徴とする配線機能付きテーブルを構成した（請求項２）。
【００１２】
ここで、前記コードフックは、コード類を保持する上下方向に連通した保持部と、該保持部にコード類を側方から受け入れるための連通部とからなることが好ましい（請求項３）。
【００１３】
また、前記コードフックは、前記ダクト蓋体を開閉可能に支持する軸受具に一体的に形成されていることが好ましい（請求項４）。
【００１４】
更に、前記コードフックと閉止状態のダクト蓋体の間に、コード類のコネクタを収容し得る空間を設けてなることも好ましい（請求項５）。
【００１５】
そして、前記コードフックは、サイズが異なるコード類に対応して複数種類を併設してなることがより好ましい（請求項６）。
【発明の効果】
【００１６】
以上にしてなる請求項１に係る発明の配線機能付きテーブルは、天板に設けた開口部に開閉可能に蓋体を設けた配線機能付きテーブルにおいて、前記開口部の周囲の一部又は全部に挿通用開口部を残して蓋体を開閉可能に設け、前記挿通用開口部に連通し且つ前記蓋体よりも低い位置に、コード類を包持するとともに、該コード類の端部のコネクタを係止し得るコードフックを備えたので、天板上に載置したノートパソコン等の電気機器に、挿通用開口部から引き出したコード類を接続して使用する際に、コード類がコードフックで保持することができるので、コード類の位置が安定するとともに、電気機器から外したコード類を挿通用開口部の下方空間に収容する際にコード類のコネクタをコードフックに係止できるので、コード類の配線ダクト内への落下を防止できるばかりでなく、コードフックに係止されたコード類のコネクタは、挿通用開口部から一部が見えるので、コード類が格納されている位置を容易に確認でき、次にコード類を使用する際に便利であり、そしてコードフックは蓋体より低い位置にあるので目立たなく外観性に優れている。
【００１７】
また、請求項２に係る発明の配線機能付きテーブルは、天板下に備えた配線ダクトに連通するように該天板に開口部を設けるとともに、該開口部に開閉可能にダクト蓋体を設けた配線機能付きテーブルにおいて、前記開口部の周囲にリング状開口部を残してダクト蓋体を開閉可能に設け、前記ダクト蓋体の下方位置に前記リング状開口部から引き出すコード類を包持するとともに、該コード類の端部のコネクタを係止し得るコードフックを備えたので、天板上に載置したノートパソコン等の電気機器に、天板下に備えた配線ダクトを通してリング状開口部から引き出したコード類を接続して使用する際に、コード類がコードフックで保持することができるので、コード類の位置が安定するとともに、電気機器から外したコード類を配線ダクト内に収容する際にコード類のコネクタをコードフックに係止できるので、コード類の配線ダクト内への落下を防止できるばかりでなく、コードフックに係止されたコード類のコネクタは、リング状開口部から一部が見えるので、コード類が格納されている位置を容易に確認でき、次にコード類を使用する際に便利であり、そしてコードフックそのものはダクト蓋体の下方位置にあるので目立たなく外観性に優れている。
【００１８】
請求項３によれば、前記コードフックは、コード類を保持する上下方向に連通した保持部と、該保持部にコード類を側方から受け入れるための連通部とからなるので、コードフックにコード類を確実且つ簡単に保持することができる。
【００１９】
請求項４によれば、前記コードフックは、前記ダクト蓋体を開閉可能に支持する軸受具に一体的に形成されているので、新たな機能の付加にもかかわらず、コストの上昇を抑制できるとともに、しかも目立たない位置に設けることができる。
【００２０】
請求項５によれば、前記コードフックと閉止状態のダクト蓋体の間に、コード類のコネクタを収容し得る空間を設けてなるので、コード類を配線ダクト内に収容し、コードフックにコネクトを係止した状態でもダクト蓋体を閉じることができる。
【００２１】
請求項６によれば、前記コードフックは、サイズが異なるコード類に対応して複数種類を併設してなるので、電源コードやＬＡＮケーブルを始めとするサイズが異なるコード類を確実に保持することができる。
【図面の簡単な説明】
【００２２】
【図１】本発明に係るテーブルの全体斜視図である。
【図２】同じくテーブルの平面図である。
【図３】天板に設けた配線装置の部分斜視図である。
【図４】同じくテーブルの部分底面図である。
【図５】中間脚と縦ダクトの構造を示す部分分解斜視図である。
【図６】縦ダクトの構造を示し、通常の状態の部分平面図である。
【図７】配線ダクト装置を構成する四角形状ダクト枠の分解斜視図である。
【図８】配線ダクト装置を構成するライン状ダクト枠の斜視図である。
【図９】四角形状ダクト枠の内部に軸受具を取付ける状態の分解斜視図である。
【図１０】軸受具とダクト蓋体の関係を示す分解斜視図である。
【図１１】四角形状ダクト枠の内部に軸受具でダクト蓋体を開閉可能に取付けた状態の斜視図である。
【図１２】ダクト蓋体の閉止状態における軸方向と直交する方向の縦断面図である。
【図１３】図１２のＸ−Ｘ線断面図である。
【図１４】ダクト蓋体の開放状態における軸方向と直交する方向の縦断面図である。
【図１５】コードフックを備えたダクト蓋体の軸受具を示し、（ａ）は正面図、（ｂ）は平面図、（ｃ）は右側面図である。
【図１６】他の実施形態のコードフックを備えたダクト蓋体の軸受具の斜視図である。
【図１７】同じく他の実施形態の軸受具を示し、（ａ）は平面図、（ｂ）は正面図である。
【図１８】本発明の他の実施形態を示す部分省略平面図である。
【図１９】同じく他の実施形態を示す四角形状ダクト枠の分解斜視図である。
【発明を実施するための形態】
【００２３】
次に、添付図面に示した実施形態に基づき、本発明を更に詳細に説明する。図１及び図２は本発明に係るテーブルを示し、図３は天板に設けた配線ダクト装置を示し、図４〜図６はテーブルの構造を示し、図中符号１は天板、１Ａは中間天板、１Ｂは端部天板、２は棒脚、３は中間脚、４は縦ダクト、５は配線ダクト装置、５Ａは四角形状ダクト、５Ｂはライン状ダクト、６はダクト蓋体、７は開口部、７Ａはリング状開口部、７Ｂはライン状開口部をそれぞれ示している。
【００２４】
本発明に係るテーブルの全体構成は、図１及び図２に示すように、天板１は、偶数枚の中間天板１Ａ，…と２枚の端部天板１Ｂ，１Ｂを連設して構成される。前記天板１は横長の長尺体であり、長辺側を前後縁、短辺側を側縁と定義する。前記中間天板１Ａ，１Ａは前後に所定の間隔を設けて配置し、その対を側方に適宜連設する。前記端部天板１Ｂの長辺側は天板１の側縁に対応し、前記中間天板１Ａ，１Ａの側端部に長辺側が接合する。つまり、前後に配置した中間天板１Ａ，１Ａの前後縁間隔と前記端部天板１Ｂの長辺の寸法は一致させている。尚、前記端部天板１Ｂは、その横幅を中間天板１Ａの横幅に一致させた大きさのものを用いることもある。本実施形態では、前記中間天板１Ａと端部天板１Ｂは、パーティクルボードを用いて形成し、上面は化粧仕上げをしているが、周囲は切断したままで使用する。天板は、例えば裏面に塗装を施して着色したガラス板をパーティクルボードに積層した構造のものも適宜使用する。
【００２５】
そして、前記端部天板１Ｂの前後部は棒脚２，２で支持するとともに、左右の中間天板１Ａ，１Ａの連結部及び端部天板１Ｂと前後の中間天板１Ａ，１Ａの連結部においては中間脚３で支持し、該中間脚３は縦ダクト４の一部を構成している。前記天板１の下方空間はフットフリー、ワゴンフリーとなっており、棒脚２以外のどの位置でも着座することができ、また図示しないが引出し付きのキャビネット等を自由に配置することができ、前記縦ダクト４の前面側にも配置できるようになっている。
【００２６】
前記中間天板１Ａ，１Ａと端部天板１Ｂの境界部分及び４枚の中間天板１Ａ，…の境界部分に、前記配線ダクト装置５を構成する四角形状ダクト５Ａをそれぞれ設けるとともに、前後の中間天板１Ａ，１Ａの間に、同じく配線ダクト装置５を構成するライン状ダクト５Ｂを形成している。前記四角形状ダクト５Ａには、周囲にリング状開口部７Ａを残して二枚のダクト蓋体６，６を中央部で回動開閉可能に設け、該リング状開口部７Ａの一部は前記ライン状ダクト５Ｂのライン状開口部７Ｂに連通している。ここで、前記四角形状ダクト５Ａの下方には、前記縦ダクト４が位置し、互いに連通している。前記四角形状ダクト５Ａは、天板１の構成により２つ以上設けられ、隣接する四角形状ダクト５Ａ，５Ａはライン状ダクト５Ｂで繋がり、つまりリング状開口部７Ａ，７Ａはライン状開口部７Ｂで連通していることが特徴である。前記四角形状ダクト５Ａは、本実施形態では略正方形であるが、円形でも良く、上位概念では島状ダクトと表現できる。
【００２７】
次に、本発明に係るテーブルの全体構造を図４〜図６に基づいて簡単に説明する。前記棒脚２は、脚ブラケット８を介して天板１の下面に取付けられ、両脚ブラケット８，８間にエンドアーム９を連結している。前記中間脚３は、上端に中間アーム１０が側面視略Ｔ字状に取付けられ、該中間アーム１０は左右の中間天板１Ａ，１Ａの連結部及び端部天板１Ｂと前後の中間天板１Ａ，１Ａとの連結部に沿って配置されている。そして、隣接する前記中間脚３，３の上端間には、ファンクションビーム１１，１１が間隔を置いて平行に連結され、更に前記エンドアーム９の中間部と中間脚３の上端間にもファンクションビーム１１，１１が連結されている。そして、前記中間アーム１０の先端には中間ブラケット１２，１２が固定され、前記各中間天板１Ａ，…及び端部天板１Ｂ，１Ｂを前記中間脚３、脚ブラケット８、エンドアーム９、中間アーム１０、ファンクションビーム１１、中間ブラケット１２に載置し、前記脚ブラケット８を端部天板１Ｂ下面にネジ止めするとともに、前記エンドアーム９、中間アーム１０及び中間ブラケット１２に側設された取付片１３，…を用いて天板１下面にネジ止めしている。
【００２８】
更に、図４に示すように、前記中間天板１Ａ及び端部天板１Ｂの縁部には、側端面から下面縁部を覆うようにファンクションエッジ１４が設けられ、直線状に連続する部分においては、両ファンクションエッジ１４，１４を平面視略Ｔ字形の連結金具１５と断面略Ｌ字形の連結板１６とで連結するとともに、該連結金具１５を前記中間ブラケット１２に連結する一方、コーナー部においては、交差する両ファンクションエッジ１４，１４の端部をコーナーブラケット１７で連結している。そして、前記ファンクションエッジ１４を中間天板１Ａと端部天板１Ｂの下面にネジ止めするとともに、前記コーナーブラケット１７も前記ブラケット８と同時に端部天板１Ｂの下面にネジ止めする。
【００２９】
前記棒脚２は、前記脚ブラケット８を介して天板１の下面にネジ止めされる。前記脚ブラケット８は、平面視略四角形であり、内方へ向いた角部に嵌合部を突設し、角パイプで作成した前記エンドアーム９の端部を該嵌合部に外嵌し、ネジ止め連結できるようになっている。また、前記脚ブラケット８には、前記嵌合部と対角位置にある他の角部に前記コーナーブラケット１７を接合できるようになっている。
【００３０】
前記中間脚３は、図５及び図６に示すように、前後両側に支脚１８，１８を間隔を隔てて配置し、両支脚１８，１８の上端間に前記中間アーム１０の中央部を渡設するとともに、下部間に連結杆２０を連結し、更にそれぞれの支脚１８の下端には左右方向へ向いた接地杆２１を逆Ｔ字状に設け、該接地杆２１の両端部にはアジャスター２２，２２を設けた構造である。尚、前記接地杆２１を省略して前記両支脚１８，１８の下端に直接又は間接的にアジャスター２２，２２を設けることもある。
【００３１】
そして、前記中間アーム１０の中央部は、前記支脚１８，１８の上端部に設けた凹部１９に嵌合し、ネジ止めしている。ここで、前記中間アーム１０は、角パイプで形成され、両端部に前記中間ブラケット１２，１２を取付け、中間部には前記取付片１３，…の他に前記中間脚３の近傍位置に偏平な連結片２３，２３を設けている。また、前記中間脚３の両支脚１８，１８の上端左右両側には、前記ファンクションビーム１１の端部を外嵌してネジ止め連結するための嵌合部２４，２４を突設している。
【００３２】
前記縦ダクト４は、図５及び図６に示すように、前記中間脚３を用いて構成されている。前記縦ダクト４は、両支脚１８，１８の間に、上段コード受け２５を前記中間アーム１０に直接に吊止部材２６を用いて吊り下げ状に設けるとともに、下段コード受け２７を高さ調節可能に設け、更に前記中間脚３の両支脚１８，１８と上段コード受け２５及び下段コード受け２７を取り囲むように一対のダクトカバー２８，２８を対向配置し、該ダクトカバー２８，２８の両端縁部を両支脚１８，１８の外側側面に係着手段にて着脱可能且つ取付位置を側方へ変更可能に設けて構成されている。
【００３３】
次に、図３、図７〜図１４に基づいて本発明に係る配線ダクト装置５の詳細を更に説明する。先ず、図７に示すように、前後に位置する前記中間天板１Ａ，１Ａは、互いに所定間隔を設けて配置して間に溝２９を形成するとともに、中間天板１Ａ，１Ａの対向する側の両端部の角部に平面視略正方形の切欠部３０，３０をそれぞれ形成するとともに、該切欠部３０，３０に対応する前記端部天板１Ｂの長辺側中央部に平面視長方形の切欠部３１を形成し、前記切欠部３０，３０と切欠部３１で平面視略正方形の開口部３２が形成される。前記開口部３２のコーナー部は丸く加工している。尚、４枚の中間天板１Ａ，…の境界部分では、４つの切欠部３０，…によって同様な平面視略正方形の開口部３２が形成される。
【００３４】
そして、前記平面視略正方形の開口部３２には、図３及び図７に示すように、四角形状ダクト枠３３を上方から嵌合し、前記溝２９には、図３及び図８に示すように、各中間天板１Ａ，１Ａの端部にライン状ダクト枠３４を取付けてライン状開口部７Ｂを形成する。更に詳しくは、前記四角形状ダクト枠３３は、４本の直線枠３５，…と、４つのコーナー枠３６，…とからなり、前記ライン状開口部７Ｂに交差する一側又は両側の直線枠３５の中央部には前記ライン状開口部７Ｂに連通する凹溝部３７を形成したものである。前記凹溝部３７を有する直線枠３５とコーナー枠３６は、合成樹脂製の成形品であり、その他の直線枠３５は合成樹脂又はアルミニウム製の押出し型材を所定長さに切断して製造したものである。前記直線枠３５とコーナー枠３６の連結は、該コーナー枠３６の端部の上下に突設した突起３８，３８を直線枠３５の上下部の係合溝３９，３９内に嵌合するとともに、コーナー枠３６の端面に設けた孔４０に通したネジ４１を直線枠３５の上下中間部に設けた下穴４２に螺合して行う。
【００３５】
前記直線枠３５とコーナー枠３６は、前記切欠部３０，３０と切欠部３１の内壁を覆う本体部を有し、本体部の上縁に前記中間天板１Ａと端部天板１Ｂの上縁に被る鍔部４３，４４をそれぞれ一体形成するとともに、下端に開口部３２の内部に向けてフランジ部４５，４６をそれぞれ一体形成している。前記直線枠３５の鍔部４３とフランジ部４５は、前記コーナー枠３６の鍔部４４とフランジ部４６にそれぞれ連続するように端部同士が接合する。一方、前記ライン状ダクト枠３４は、合成樹脂又はアルミニウム製の押出し型材を所定長さに切断して製造し、前記中間天板１Ａの端部面を覆う側面板４７の上縁に前記鍔部４３と同様の鍔部４８を形成するとともに、下端に前記中間天板１Ａの下面に取付けるための取付板４９を一体成形している。
【００３６】
そして、前記四角形状ダクト枠３３は、図７及び図９に示すように、前記開口部３２に上方から嵌挿し、周囲の鍔部４３，４４を中間天板１Ａ及び端部天板１Ｂの縁部に載置するとともに、前後の直線枠３５，３５のフランジ部４５，４５を前記中間アーム１０の上面に載置し、該フランジ部４５，４５に形成した通孔５０，５０に通した固定ネジ５１，５１を中間アーム１０の上面に形成した下穴５２に螺合して取付ける。前記ライン状ダクト枠３４は、前記溝２９内に位置させ、中間天板１Ａの端面に嵌合し、取付板４９を該中間天板１Ａの下面にネジ止めして取付ける。尚、図９は、天板１を省略している。この状態で前記直線枠３５に形成した凹溝部３７は、前記ライン状開口部７Ｂに連通するようになる。
【００３７】
それから、図９〜図１４に示すように、前後の直線枠３５，３５のフランジ部４５，４５に合成樹脂製の軸受具５３，５３を取付け、前記ダクト蓋体６，６を開閉可能に枢支する。前記軸受具５３は、図３、図９〜図１５に示すように、前記中間アーム１０を両側から挟みこんで保持する嵌合部５４と、前記直線枠３５のフランジ部４５の上面に載置する固定部５５を有し、前記嵌合部５４の上部に一対の軸受筒５６，５６の開放部を開口部３２の内部に向けて設けている。前記固定部５５には、中央に取付孔５７を形成するとともに、その両側に通孔５８，５８を形成している。そして、前記固定ネジ５１を前記固定部５５の取付孔５７に挿通し、前記直線枠３５のフランジ部４５と同時に中間アーム１０の上面にネジ止めするとともに、前記通孔５８，５８の上方から通したネジ５９，５９を前記フランジ部４５に形成した下穴６０，６０に螺合して前記軸受具５３を取付ける。そして、前記固定部５５に台形状のキャップ６１を嵌着して前記固定ネジ５１及びネジ５９，５９を隠している。
【００３８】
そして、図１５に示すように、前記軸受具５３の両側には、前記直線枠３５のフランジ部４５の内側に沿うようにアーム部６２を延設し、該アーム部６２にそれぞれ複数のコードフック６３，…を設けている。ここで、前記コードフック６３は、コード類Ｃを保持する上下方向に連通した保持部６３Ａと、該保持部６３Ａにコード類Ｃを側方から受け入れるための連通部６３Ｂとからなっている。更に詳しくは、前記コードフック６３は、前記開口部３２の内方に連通部６３Ｂが開放しており、該連通部６３Ｂから前記アーム部６２内に平面視略Ｌ字状に延びた保持部６３Ａが形成され、該保持部６３Ａ内にコード類Ｃを嵌合して包持するようになっている。そして、前記保持部６３Ａの上端、つまり前記アーム部６２の上面でコード類Ｃの端部に設けたコネクタＣ１を係止できるようになっている。
【００３９】
そして、前記コードフック６３は、サイズが異なるコード類Ｃに対応して複数種類をアーム部６２に併設している。本実施形態では、直径が大小異なる大きさのコード類Ｃをそれぞれ保持するのに適した二つのなるコードフック６３，６３を各アーム部６２に設けている。尚、前記コードフック６３は、前記軸受具５３と別体で作製して、前記四角形状ダクト枠３３に取付けるようにしても良いが、前記軸受具５３に一体的に形成することにより、コスト上昇を抑制することができるので好ましい。
【００４０】
前記ダクト蓋体６は、図１０及び図１１に示すように、前記四角形状ダクト枠３３の内形よりも一回り小さな略正方形の半分の大きさを有する板体であり、裏面の長辺の一側縁に沿って支軸６４を嵌着する支軸受部６５を突設し、該支軸受部６５から両端が突出した前記支軸６４の端部に円柱状のスリーブ６６を同軸に嵌着し、該スリーブ６６を前記軸受具５３の軸受筒５６の内部に回動可能に嵌合する。実際には、前記軸受具５３を四角形状ダクト枠３３に取付ける前に、各ダクト蓋体６の両端部のスリーブ６６，６６をそれぞれ軸受具５３，５３の対向する軸受筒５６，５６に挿入した状態で、該軸受具５３，５３を前述のように中間アーム１０と四角形状ダクト枠３３に取付ける。
【００４１】
そして、図３、図１１〜図１３に示すように、前記ダクト蓋体６，６を水平な閉止状態としたとき、前記軸受具５３に該ダクト蓋体６の裏面を当止する受部６７，６７を弾性部材で設けている。そして、前記コードフック６３，…は、閉止状態の前記ダクト蓋体６の下方位置になるように設けている。更に、前記コードフック６３と閉止状態のダクト蓋体６の間に、コード類ＣのコネクタＣ１を収容し得る空間を設けている。つまり、前記軸受具５３のアーム部６２の位置は、前記受部６７を設けた上端部よりも十分に下方である。また、前記アーム部６２には、前記直線枠３５のフランジ部４５の下面縁部に係合する突条６８を形成し、図１３に示すように、前記軸受具５３を中間アーム１０と四角形状ダクト枠３３に取付けた状態を更に安定させ、重たいコード類Ｃをアーム部６２の先端部に係止しても該軸受具５３が変形しないように十分な強度を持たせている。
【００４２】
また、図１４に示すように、前記ダクト蓋体６，６を開放状態に立起させたときには、前記ダクト蓋体６の基端部に設けた係合部６９が前記軸受具５３の軸受筒５６，５６間の固定部５５の上面の近傍に設けたストッパー７０に当接して停止し、両ダクト蓋体６，６の遊端側が平行に立起した状態となって安定する。また、前記ダクト蓋体６の閉止状態と開放状態の回動終端においてクリック感を持たせるために、前記軸受筒５６とスリーブ６６の摺動面部分に弾性係合する弾片と凹部を設けても良い。ここで、前記ダクト蓋体６をアルミニウム製で製造した場合でも、両ダクト蓋体６，６は接触しないので、傷付くこともない。また、前記キャップ６１の内側部には、前記ダクト蓋体６，６の開放状態での基端部に干渉しないように逃がし部７１を設けている。
【００４３】
このように、前記ダクト蓋体６，６の閉止状態では、前記四角形状ダクト枠３３の内周面と当該ダクト蓋体６，６の外周縁の間には、図１２及び図１３に示すように、所定幅のリング状開口部７Ａが形成され、該リング状開口部７Ａの下方には前記直線枠３５とコーナー枠３６のフランジ部４５，４６が位置するので、上から覗き込んでも下方の縦ダクト４の内部が見えないようにしている。前記コードクリップ６３，…は、前記ダクト蓋体６の下方位置にあるので目立たない。また、図３に示すように、前記コードクリップ６３にコード類Ｃを保持し、余剰のコード類Ｃを前記縦ダクト４の内部に収納するとともに、コネクタＣ１を係止した状態で、前記ダクト蓋体６を閉じることができ、その場合には前記コネクタＣ１の一部がリング状開口部７Ａを通して見えるようになり、コード類Ｃの格納位置の確認ができる。また、コード類Ｃの中間部を前記コードクリップ６３で保持し、コネクタＣ１を含む先端側の部分を前記直線枠３５のフランジ部４５あるいは前記コーナー枠３６のフランジ部４６に載置した状態で収納することも好ましく、その場合もコネクタＣ１の位置を確認し易く、またコード類Ｃの先端側の部分のみをリング状開口部７Ａから取り出して直ちに電気機器に接続することができる。
【００４４】
図１６及び図１７は、他の実施形態の軸受具５３を示している。本実施形態では、前記嵌合部５４を設けた部分を省略した構造であり、またコードフック６３の形状が若干変更されたものである。前記軸受具５３の嵌合部５４を設けた部分は凹陥部７２となっており、該凹陥部７２の底面は前記固定部５５の下面と面一となって前記中間アーム１０の上面に載置するようになっている。そして、前記軸受具５３の本体部の両側に延設したアーム部６２，６２にそれぞれ３つのコードフック６３，…を形成している。前記アーム部６２の先端側に設けたコードフック６３は、前記同様の形状であるが、基端側には二つのコードフック６３，６３を一つの連通部６３Ｂを共用して設けている。つまり、前記連通部６３Ｂから前記アーム部６２内に平面視略Ｔ字状に延びた空間部を形成して、両側に二つの保持部６３Ａ，６３Ａが形成された構造である。そして、各コードフク６３の保持部６３Ａ内にコード類Ｃを嵌合して包持するようになっている。尚、前記アーム部６２の基端側の複合化された二つのコードフック６３，６３には、それぞれ断面略円形のコード類Ｃを保持できるが、断面形状が偏平で幅が大きなコード類Ｃを一つあるいは重ねて複数本を保持することも可能であり、汎用性が更に高くなっている。その他の構成は、前記同様であるので、同一構成には同一符号を付してその説明は省略する。
【００４５】
このように、前記天板１の上で使用するノート型パーソナルコンピュータ（ＰＣ）やタブレット型ＰＣ等の電子機器に、電源を供給したり、ＬＡＮケーブル等の通信線を接続したりするには、各種のコード類Ｃを前記縦ダクト４の内部を通して前記四角形状ダクト５Ａやライン状ダクト５Ｂから天板１の上面へ引き出して使用する。前記四角形状ダクト５Ａに形成されるリング状開口部７Ａからコード類Ｃを引き出す場合には、前記コードフック６３で保持する。ここで、コード類Ｃの配線作業中には、前記ダクト蓋体６を開放状態で行うが、配線後に該ダクト蓋体６を閉止状態にしても、その周囲に有するリング状開口部７Ａから引き出すことが可能である。
【００４６】
また、図４に示すように、前記ライン状ダクト５Ｂに対応する中間天板１Ａ，１Ａの下面側に、前記ファンクションビーム１１，１１を利用してコード受け７３，７３を設け、前記ライン状開口部７Ｂから引き出すコード類を一旦コード受け７３で受けた後に、引き出しても良く、また天板１の上面の余剰コード類をライン状開口部７Ｂから落とし込んで、前記コード受け７３で受けても良い。
【００４７】
また、コードフックは、前記軸受具５３以外の四角形状ダクト枠３３を構成する合成樹脂製部材に一体成形により設けること、あるいはコードフックを形成した部材を四角形状ダクト枠３３に取付けることにより、リング状開口部７Ａ（挿通用開口部）に連通し且つ前記ダクト蓋体６よりも低い位置に設けることも可能である。ここで、前記ダクト蓋体６の周囲の全部に挿通用開口部が存在する必要はなく、一部のみに挿通用開口部が形成されているものでも良い。尚、天板下に配線ダクトが存在しなくても良く、その場合には前記ダクト蓋体６は単なる蓋体となる。例えば、図１８及び図１９に示すように、前記コーナー枠３６のフランジ部４６に一体的にコードフック７４を設けても良い。前記コードフック７４は、平面視においてイカリ形の形状を有し、つまり中央部に大径の保持部７４Ａとその両側に小径の保持部７４Ｂを有し、各保持部７４Ａ，７４Ｂは幅の狭い連通部７４Ｃで互いに連通するとともに、中央部の保持部７４Ａは連通部７４Ｄで開口部３２の内部に開放している形状である。更に、前記連通部７４Ｄの途中部に前記保持部７４Ａよりも大径の部分を形成して第４の保持部７４Ｅとしている。
【００４８】
このように、前記コードフック７４には、３種類のサイズのコード類Ｃを保持部７４Ａ，７４Ｂ，７４Ｅを選択して保持できるようになっている。この場合も、コード類ＣのコネクタＣ１を前記コードフック７４に係止できるようになっている。そして、コード類Ｃの中間部を前記コードフック７４に保持した状態で、コネクタＣ１を含む先端側を前記フランジ部４５，４６に載置して収容することができ、コネクタＣ１はリング状開口部７Ａ（挿通用開口部）の底部に位置するので、テーブルの使用者には目立たないので、美観を損なうことはなく、またリング状開口部７Ａ（挿通用開口部）を覗き込めば容易にコネクタＣ１の位置を確認することができる。
【００４９】
また、コードフックを形成した部材を四角形状ダクト枠３３に取付ける場合には、前記フランジ部４５，４６が存在しなくても良く、その場合もリング状開口部７Ａ（挿通用開口部）に底部が存在しないので、コードフックを目立たない任意の位置に設けることができる。
【符号の説明】
【００５０】
１  天板、                    １Ａ  中間天板、
１Ｂ  端部天板、              ２  棒脚、
３  中間脚、                  ４  縦ダクト、
５  配線ダクト装置、          ５Ａ  四角形状ダクト、
５Ｂ  ライン状ダクト、        ６  ダクト蓋体、
７  開口部、                  ７Ａ  リング状開口部（挿通用開口部）、
７Ｂ  ライン状開口部、        ８  脚ブラケット、
９  エンドアーム、            １０  中間アーム、
１１  ファンクションビーム、  １２  中間ブラケット、
１３  取付片、                １４  ファンクションエッジ、
１５  連結金具、              １６  連結板、
１７  コーナーブラケット、    １８  支脚、
１９  凹部、                  ２０  連結杆、
２１  接地杆、                ２２  アジャスター、
２３  連結片、                ２４  嵌合部、
２５  上段コード受け、        ２６  吊止部材、
２７  下段コード受け、        ２８  ダクトカバー、
２９  溝、                    ３０  切欠部、
３１  切欠部、                ３２  開口部、
３３  四角形状ダクト枠、      ３４  ライン状ダクト枠、
３５  直線枠、                ３６  コーナー枠、
３７  凹溝部、                ３８  突起、
３９  係合溝、                ４０  孔、
４１  ネジ、                  ４２  下穴、
４３  鍔部、                  ４４  鍔部、
４５  フランジ部、            ４６  フランジ部、
４７  側面板、                ４８  鍔部、
４９  取付板、                ５０  通孔、
５１  固定ネジ、              ５２  下穴、
５３  軸受具、                ５４  嵌合部、
５５  固定部、                ５６  軸受筒、
５７  取付孔、                ５８  通孔、
５９  ネジ、                  ６０  下穴、
６１  キャップ、              ６２  アーム部、
６３  コードフック、          ６３Ａ  保持部、
６３Ｂ  連通部、              ６４  支軸、
６５  支軸受部、              ６６  スリーブ、
６７  受部、                  ６８  突条、
６９  係合部、                ７０  ストッパー、
７１  逃がし部、              ７２  凹陥部、
７３  コード受け、            ７４  コードフック、
７４Ａ  保持部、              ７４Ｂ  保持部、
７４Ｃ  連通部、              ７４Ｄ  連通部、
７４Ｅ  保持部、
Ｃ  コード類、
Ｃ１  コネクタ。
【図１】
2014124457.tif 000003
【図２】
2014124457.tif 000004
【図３】
2014124457.tif 000005
【図４】
2014124457.tif 000006
【図５】
2014124457.tif 000007
【図６】
2014124457.tif 000008
【図７】
2014124457.tif 000009
【図８】
2014124457.tif 000010
【図９】
2014124457.tif 000011
【図１０】
2014124457.tif 000012
【図１１】
2014124457.tif 000013
【図１２】
2014124457.tif 000014
【図１３】
2014124457.tif 000015
【図１４】
2014124457.tif 000016
【図１５】
2014124457.tif 000017
【図１６】
2014124457.tif 000018
【図１７】
2014124457.tif 000019
【図１８】
2014124457.tif 000020
【図１９】
2014124457.tif 000021